(57)【特許請求の範囲】
【請求項１】
複数のセルのそれぞれに対応し、それぞれ複数のセクター・アンテナを有する複数のアンテナと、
前記複数のアンテナと複数の伝送媒体を介して離間した位置に置かれる複数の基地局装置を有し、
前記複数のアンテナ側に、前記複数の伝送媒体に対応するインタフェースとアンプを有する複数のセルステーション設備と前記複数のセルステーション設備を前記アンテナの複数のセクター・アンテナに切り替える第１のスイッチと、更に、前記複数の伝送媒体と前記複数のセル・ステーション設備との組み合わせを切り替え接続する第２のスイッチとを有し、
前記基地局装置側に、前記複数の伝送媒体と前記複数の基地局装置との組み合わせを切り替え接続する第３のスイッチを有し、
更に、前記複数のアンテナの複数のセクター・アンテナにおける所定のパラメータを検知して、検知されるパラメータに基づき、前記複数のセクター・アンテナと前記複数のセル・ステーション設備と前記複数の基地局装置との接続を再構成し、前記複数のセルのトラフィック量に対応するように前記第１、第２及び第３のスイッチを制御する制御回路を有する、
ことを特徴とするセルラーネットワークシステム。
【請求項２】
請求項１において、
前記所定のパラメータは、サービス品質（ＱoＳ）の値であることを特徴とするセルラーネットワークシステム。
【請求項３】
請求項１において、
前記複数のアンテナは、それぞれ６つのセクター・アンテナを有し、
前記６つのセクター・アンテナが、共通に同じセル・ステーション設備に接続されるとき、全方位のアンテナ放射特性を有する、
ことを特徴とするセルラーネットワークシステム。
【請求項４】
請求項１において、
前記複数の伝送媒体は、前記複数の基地局装置と、前記複数のセル・ステーション設備を繋ぐ複数の同軸ケーブル又は、光ファイバーである、
ことを特徴とするセルラーネットワークシステム。
【発明の詳細な説明】
【技術分野】
【０００１】
本発明は，動的セル再構成方法及び，これを適用するセルラーネットワークシステムに関する。特に，トラフィックの状態に適応して動的にセクター・アンテナを切り替えてセルを再構成する方法及び，これを適用するセルラーネットワークシステムに関する。  
【背景技術】
【０００２】
図１は，一般に，広く世界中で使用されているセルラーネットワークシステムにおけるセル構成を示す図である。
【０００３】
図１において，各円は，セルのサービスエリアを表している。各円における分割は，セルにおける各セクター・アンテナによりカバーされる範囲を示している。セクター・アンテナでカバーされる範囲は，セクターと呼ばれる小さな独立のエリアにおける分割されたセルを構成している。
【０００４】
これらのセクターは，他のネットワーク部分の影響を受けない。図１に示す例では，１つのセルは，６つのセクターに分割され，各セクターは他のセクターから独立している。６つのセクターとする場合に限られず，３つのセクターとする場合も数多く使用される。
【０００５】
セクター・アンテナの特性及び，適用性により，９又は１２というように大きな数のセクターに分割することも可能である。
【０００６】
図１において，従来のセル構成は，オフィス地区であっても，住宅地区であっても同様に構成されている。全てのセルに無線機器が備えられ，これら無線機器は，ビル内あるいは，移動シェルター内に設置される。
【０００７】
ここで，時刻によるトラフィック量変化を説明する図２に示すように，ピーク使用は昼間時間帯と，夜間時間帯とでは別個の状況にある。さらに，ビジネス地区Iと，住宅地区IIでは，反対の傾向にある。
【０００８】
ビジネス地区Iにおいて，昼間のビジネス時間帯IIIでは，使用量が大きく，夜間では使用量は少ない，反対に住宅地区IIでは，昼間の時間帯IIIでは，使用量が少なく，夜間では使用量は多い。
【０００９】
ネットワークシステムの構築に際し，ネットワークの最も占有されるピーク時間帯を見出し，その時間帯におけるトラフィック量を決定し，これに対応して基地局設置数が決められる。これは，最もビジーな時間帯で少しの呼であっても失わずに，また切断することがないように，そのサービスの品質を維持するためにネットワーク装置が備えられることを意味している。
【００１０】
すなわち，昼間時は，人々は，働き，夜間は帰宅する。これにより，夜間はオフィス地区では，ほぼ空きの状態となる。このように，住宅地区のネットワークは，昼間時は過剰容量となり，夜間時は，オフィス地区ネットワークが過剰容量となる。この過剰容量が，ネットワークのコストを高めている。
【００１１】
このようなネットワーク構成に対し，通常，移動体ネットワークにおいて，サービスの品質として，１００個の呼，あるいは，ハンドオーバー動作中において，１または２個の呼までを失う程度のことは許される。ハンドオーバーは，一つのセルから他のセルに向かう通信リンクのパス接続に対応する。
【００１２】
しかし，セルラー・ネットワークは，人の移動に基づく動作特性がある特徴からトータルコスト低減のための可能性も含んでいる。
【００１３】
かかる，時間帯による通信容量のアンバランスを解消する従来技術として，特許文献１に記載の発明がある。この特許文献１に記載の発明では，交換機内に基地局状態パターンを保持・管理すること，ならびに基地局は電波放射指向性・送信出力・受信感度が変更可能であることを前提に，交換機が保持・管理している基地局状態パターンテーブルに応じて基地局の電波放射指向性などを制御する方式であり，適用領域はアレーアンテナ制御に関するものである。
【００１４】
また，別の技術として，特許文献２に記載の発明がある。当該の特許文献２に記載の発明の目的は，各セルのトラフィックに応じてセルで使用するチャネル数を変化させることにある。光スイッチ機能を具備し，光ケーブルで接続先のセルを変化する方式である。セル構成，それ自体は「固定」である。すなわち，トラフィックに応じて単にセルに割り付けるチャネル数を変更することに特徴を有する。
【特許文献１】特開2001-128227号公報
【特許文献２】特開平６-153256号公報
【発明の開示】
【発明が解決しようとする課題】
【００１５】
上記図２に示した時間帯による通信容量のアンバランスを解消する技術として，特許文献１に記載の発明では，適用領域はアレーアンテナ制御に限定され，又，特許文献２に記載の発明では設置する基地局などの設備量の削減を期待することができない。
【００１６】
現実には地域ごとに昼夜におけるトラフィック量に差が有り，特にビジネス街と住宅街などでは昼夜の差が著しいが，従来は，基地局などの設備はその地域における最大トラフィックに見合うように設置する方法を採用していた。このために，結果として無駄な設備投資を行わざるを得なく，設備の有効利用という側面からは課題が有った。
【００１７】
したがって，本発明の目的は，設備量の削減と言う根本的な解決手段を実現する動的セル再構成方法及び，これを適用するセルラーネットワークシステムを提供することにあり，基地局など無線アクセスネットワークを構成する設備の設備数を削減して経済化を可能とするものである。
【課題を解決するための手段】
【００１８】
上記課題を達成する本発明の第１の側面は，セル対応に置かれる複数のセクター・アンテナを有するアンテナと，前記アンテナと離間した位置に置かれる複数の基地局装置を有するセルラー・ネットワークシステムにおけるセル再構成方法であって，前記複数のセクター・アンテナの出力から得られる所定のパラメータの値に基づき，前記複数の基地局装置と，前記複数のセクター・アンテナとの接続を切り替えて，セルの構成を変更することを特徴とする。
【００１９】
上記課題を達成する本発明の第２の側面は，セル対応に置かれる複数のセクター・アンテナを有するアンテナと，前記アンテナと伝送媒体を介して離間した位置に置かれる複数の基地局装置を有するセルラーネットワークシステムであって，前記アンテナ側に前記伝送媒体に対応するインタフェースとアンプを有する複数のセル・ステーション設備と，
前記複数のセル・ステーション設備を前記アンテナの複数のセクター・アンテナに切り替え接続する第１のスイッチと，前記アンテナの複数のセクター・アンテナにおける所定のパラメータを検知して，検知されるパラメータに基づき，前記複数のセル・ステーション設備と前記複数のセクター・アンテナとの接続を再設定するように前記第１のスイッチを制御する制御回路を有することを特徴とする。
【００２０】
上記側面において，前記所定のパラメータは，サービス品質（ＱoＳ）の値であることを特徴とする。
【００２１】
また，上記側面において，前記アンテナは，６つのセクター・アンテナを有し，
前記６つのセクター・アンテナが，共通に同じセル・ステーション設備に接続されるとき，全方位のアンテナ放射特性を有することを特徴とする。
【００２２】
さらに，前記セルラーネットワークシステムにおいて，前記伝送媒体は，前記複数の基地局装置と，前記複数のセル・ステーション設備を繋ぐ複数の同軸ケーブル又は，光ファイバーであって，
前記アンテナ側に更に，前記複数の同軸ケーブル又は，光ファイバーと前記複数のセル・ステーション設備との組み合わせを切り替え接続する第２のスイッチと，
前記基地局装置側に，前記複数の同軸ケーブル又は，光ファイバーと前記複数の基地局装置との組み合わせを切り替え接続する第３のスイッチとを有し，
前記制御回路により，前記検知されるパラメータに基づき，更に前記第２及び第３のスイッチを制御して，前記複数の基地局装置と前記複数のセル・ステーション設備との接続組み合わせを再設定することを特徴とする。
【００２３】
また，前記セルラーネットワークシステムにおいて，前記セル・ステーション設備は，前記複数のセクター・アンテナのいずれと接続するかのより変動するインピーダンスを調整する回路を有することを特徴とする。
【００２４】
本発明の特徴は，以下に図面に従い説明される実施の形態例から更に明らかになる。
【発明の効果】
【００２５】
本発明により，パラメータ値の最悪状態を考慮して基地局装置等の設備の配置を行っていたシステムに対して，少ない設備で効率的な通信サービスを維持することが可能となる。
【発明を実施するための最良の形態】
【００２６】
以下に図面に従い，本発明の実施例を説明する。なお，かかる実施例は本発明の理解のためのものであり，本発明の適用がこれら実施例に限定されるものではない。特許請求の範囲に記載のもの及びこれに均等のものも，本発明の技術的範囲に含まれるものである。
【００２７】
図３は，本発明を適用するセルラーネットワークシステムの概略構成を示す図である。本発明の特徴的な新規機能を実現する主要な制御装置は，可能な限り中央エリアに置かれる。
【００２８】
図３において，Ａはオフィス地区（ゾーン）におけるセルラー・ネットワークであり，Ｂは住宅地区（ゾーン）におけるセルラー・ネットワークである。
【００２９】
本発明の特徴とする新規機能を実現する主たる制御装置は，中央エリアに置かれる。すなわち，中央エリアには，集合した基地局装置(Base Station Equipment)１が置かれる。以降，この基地局装置の集合をバンクと呼ぶ。また，対応する制御装置が，オフィス地区Ａのアンテナ及び住宅地区Ｂのアンテナに付属する個別装置２ａ，２ｂに配置されて，本発明に従う新規機能を制御する。
【００３０】
本発明において，ネットワークの各地区におけるセルグループ１０ａ，１０ｂに対して最も高価な共通部分は，基地局装置１であって，中心に位置し，スイッチ３とアルゴリズムによりそのスイッチを制御して，基地局装置１を動的に関連のセルに接続する。信号は，光ファイバーあるいは同軸線路４ａ，４ｂによってセルグループ１０ａ，１０ｂに導かれる。
【００３１】
図３において，基地局装置１のバンクは，中央部に位置し，セルグループ１０ａ，１０ｂに対して，当該エリアにおいてトラフィックの増大する場合に必要とするように配置される。
【００３２】
同時にセルグループ１０ａ，１０ｂの各アンテナと基地局装置１のバンクとの接続は，各セルのセクターにおいて異なるトラフィック容量を有して，エリアの全域をカバーするように再構成される。
【００３３】
逆に，あるセルにおいてトラフィックが減少したときは，基地局装置１は切り離され，新しい割り当て用バンクに戻される。そして，当然に，アンテナは再び必要なトラフィック量で全エリアをカバーするように再構築される。
【００３４】
このように，セルは，本実施例では無指向性から実施例として最大６セクターを有するまで自動的に設定される。すなわち，本発明は，より狭いセクター・アンテナが適用可能であり，あるいは将来も可能となるので，セルが９または１２のセクターを有するアンテナを用いて修正なしに使用することが可能である。
【００３５】
以下に，上記本発明の概略構成に基づく基本的な対象性を有するアルゴリズムを説明する。
[ネットワーク構成要素]
本発明に従う適応型ネットワークの主構成要素は，次のようである。
i．再構成可能なアンテナ：
図３において，セルグループ１０ａ，１０ｂを構成する各々のアンテナは再構成可能な次のようなタイプを有する。
【００３６】
各アンテナにおけるセクター数が可変である。セクター角が可変である。操作可能なビームアンテナである。この種のアンテナは適用アレイアンテナであり，低トラフィック容量での使用が有効である。
ii．基地局装置：
図３において，基地局装置１は集合（バンク）に配置され，セルグループ１０ａ，１０ｂの各アンテナが位置する場所との距離を短縮する考慮された位置に備えられることが望ましい。
【００３７】
この種の装置のタイプは次の２通りの接続が可能である。基地局装置１の設置場所は限定されるものではない。
【００３８】
同軸ケーブルによりアンテナと基地局装置をリンク(接続）する。あるいは，光ファイバーでアンテナと基地局装置をリンクする。
iii．スイッチ：
以下の異なるスイッチが備えられる。
【００３９】
基地局装置（ＢＳＥ）側スイッチ３；基地局装置のバンク側にあるスイッチ３である。このスイッチ３は，中央部に位置する複数の基地局装置１の一つを選択するために使用される。さらに，セル・グループ１０ａ，１０ｂと接続するための伝送媒体として光ファイバーあるいは，同軸ケーブル４ａ，４ｂが使用されるので，このスイッチ３は，ファイバーあるいは，同軸ケーブル４ａ，４ｂを切り替える機能を有することが必要である。
【００４０】
セル側にある伝送媒体側スイッチ（個別装置２ａ，２ｂ内に含まれる）；このスイッチは基地局装置側にあるスイッチ３に対応するスイッチである。このスイッチは，伝送媒体(光又は，同軸)のいずれかを対応する基地局装置に接続する。このスイッチは，更に，ケーブルあるいは基地局装置の欠陥の場合には，所定の予備設備を接続するように制御される。
【００４１】
アンテナ側スイッチ；セルグループ１０ａ．１０ｂ側にあるスイッチであって，セル側のアンテナ要素である，一又は複数のパネルアンテナを選択するために配置される。
iv．再構成可能アンテナ：
セルグループ１０ａ．１０ｂを構成する各アンテナである。無線システムにおいて通常使用されるように，一方向の送信または受信機能が与えられる。送信方向および受信方向特性とも数学的に同じ伝播特性を有しているので，以下に１方向だけについて説明を行う。
【００４２】
全方向性アンテナは，電波放射方向に特異性を有しないアンテナである。セル設備のような実際的な設備において，全方向性アンテナは，アンテナに対し通常垂直な平面において，特定方向性を有しないで放射を行う。
【００４３】
したがって，全方向性アンテナの指向特性パターンをアンテナ上方から見る場合，ほぼ円形の放射パターンとして，即ち各方位のアンテナ利得が同じであるものとして観察される。
【００４４】
この略円形なアンテナ指向性であるが，実際は完全には円形ではない。なぜならば，アンテナの設置に依存して，ある角度で測定された利得あるいはロスは，他の角度に対して数dＢの違いがあるからである。しかし，それにもかかわらず，全方向性アンテナと呼ばれている。
【００４５】
セルラーネットワークシステムでは，全方向性アンテナの使用は，例えば，地方におけるようにある状況において，即ちトラフィック量が小さい場合を主な目的とする。
【００４６】
他のトラフィック量が大きい地域では，３６０°平面が分割され，複数のアンテナが用いられ，アンテナの放射パターンはある方向に向けられる。たとえば，３６０°平面を２本，３本あるいは６本のアンテナを用いてカバーするように分割使用される。
【００４７】
この部分的な方位アンテナは，セクター・アンテナと呼ばれる。図４に上記のアンテナ放射パターンの例を示す。図４Ａは全方位，図４Ｂ，図４Ｃ及び図４Ｄは，それぞれ２セクター・アンテナ，３セクター・アンテナ及び，６セクター・アンテナの例である。
【００４８】
実際，同じ論理により，６つを越えるセクター・アンテナを推定することができる。セクター・アンテナのメーカーのカタログを見ると，あるアンテナは９個のセクター・セルで使用されることが可能になる。あるいは，より多くの狭いアンテナを設計することができる場合，より多くのセクターまで考えることができる。
【００４９】
セルラーネットワークシステムでは，各セクターは，異なる信号が，別々に接続され，送信し，受信を行う。このように，各セクターは，他のセクターから全く独立している。これにより，使用される技術に依存して，同じセル地区においてさえ，同じ周波数が使用可能とされる。
【００５０】
本願により提案される発明は，セクター・アンテナを使用することを要件とする。したがって，異なる信号をセクター・アンテナのそれぞれに供給する代わりに，同じ信号を共通に与えることにより，同じ信号が各セクター・アンテナから放射されるので，放射パターンは，全方向性アンテナと近似のアンテナ指向性が得られる。現実に，アンテナ指向性は，一つの全方向性専用アンテナほど厳密に円形ではないが，任意の実際的な目的に対して全方向性のアンテナ指向性であると言える。
【００５１】
かかる構成は，主として都市環境において，即ち高くそびえる建物が多数ある大都市での使用を意図している。この環境では，上記の全方向性アンテナが有することができる方向性特性を減少させるような，多数の多重経路伝送が生じる。
【００５２】
同じことが，反対方向，即ち，受信の場合にも生じる。
【００５３】
通常，セルグループ１０ａ，１０ｂの各セクター・アンテナは，３Ｇ設備の場合にはノードＢと呼ばれる基地局装置（ＢＳＥ）内の１つの送受信機に接続される。
【００５４】
本発明では，通常セル・サイトのサイト・セクター・アンテナに対し同じ修正が行われる。すなわち，６本のセクター・アンテナが全て並列に接続される場合，適切なインピーダンスマッチング装置により，外部から観察した場合，ただ一つのアンテナとしてみなされ，略全方向性のアンテナ指向性を持つ。
【００５５】
６本のセクター・アンテナのグループを，単一の基地局装置に接続し，全方向性アンテナと判別不能に作用させることができる。
【００５６】
６つのセクター・アンテナから１つのセクター・アンテナを分離し，他の異なる基地局装置の送受信機に接続すれば，この１つのセクター・アンテナは，共同作用する他の５つのセクター・アンテナから完全に独立する。
【００５７】
残りの５本のセクター・アンテナから，いずれかのセクター・アンテナを分離し，トラフィック及び又は使用する制御アルゴリズムに従い，他のあるいは同じ基地局装置に接続することができる。
【００５８】
反対に分離されているセクター・アンテナを中心に接続することにより，元の全方向性アンテナに戻すことができる。
【００５９】
また，連続する（隣接する）３つのセクター・アンテナを同時に分離して，２本のセクター・アンテナとすることができる。同様の方法で，連続する２つのセクターを同時に分離することができ，他の４つのセクター・アンテナをそのままとすることで，非対象の４−２本のセクター・アンテナを得ることができる。
【００６０】
あるいは，連続しない２本のセクター・アンテナを分離し，他の４つのセクター・アンテナをそのままとすることで，他の形式の非対象の４−２本のセクター・アンテナを得ることができる。
【００６１】
図５は，セル・サイトのセクター・アンテナを切り替えることによって得られるいくつかのアンテナタイプを示す図である。
【００６２】
セクター・アンテナの組み合わせは，固定されず，制御アルゴリズムによって動的に変更可能である。セクター・アンテナによってカバーされたエリアの中で，トラフィックがしきい値以上に増大する場合に，本発明に従いアンテナの１つ以上のセクターを分離するメカニズムを使用すると，セル・サイトにおいて最小の設備を使用して，非常に柔軟な送信ネットワークを得ることができ，さらに，使用する基地局装置の数を減少でき，それにより資本支出の大部分を節約できる。
【００６３】
図５において，図５Ａ，図５Ｂ，図５Ｃは，通常のセクター・アンテナである。図５Ｄ，図５Ｅ，図５Ｆは，本願に従うセクター分離を示している。図５Ｄのアンテナは，２つのセクター・アンテナがリンクされ，４つのセクター・アンテナ同士が更にリンクされている。これは，リンクした２本及び４本のセクター・アンテナを持つ非対称の６本のセクター・アンテナ構成を行った例である。これを，６-２-４のセクターと呼ぶ。第１の数はアンテナ中のセクター・アンテナの数である。次の２つの数はリンクされたセクター・アンテナの数を意味する。
【００６４】
同様に，図５Ｅに示すアンテナは，１つの独立したセクター・アンテナと，２つのセクター・アンテナがリンクされ，他の３つのセクター・アンテナ同士がリンクされている構成を示す。これを，６−１−２−３のセクターと呼ぶ。
【００６５】
図５Ｆに示すアンテナは２つの１のセクター・アンテナを独立したようにしておき，他の４つのセクター・アンテナがともにリンク下構成を示している。このアンテナを６-１-１-４のセクターと呼ぶ。
【００６６】
次に，どのように，トラフィック要求と一致させるためにアンテナの再構成を行うかについて説明する。アルゴリズムによって，このアンテナの再構成のための切り替えを行う。
【００６７】
低いトラフィックの場合には，各セクター・アンテナに，単に１個のセルに対応する同じ信号が供給される。もちろん，アンテナは，正しいインピーダンスマッチングを行うためにマッチング回路を有している。このインピーダンスマッチング回路は単純であり，本発明の一部を構成しない。６つのセクターの全てが同じ信号を放射する。さらに，各セクター・アンテナによって受け取られた信号は全て，受信機へ送られる前に結合される。
【００６８】
トラフィックが増大する場合，１つのセクターは他の５つのセクターから分離される。これにより非対称のアンテナが得られる。
【００６９】
本発明におけるアルゴリズムに従って，このセクター・アンテナは，トラフィックの増加，あるいは減少するゾーンに従って，トラフィックに対処するために再構成される。したがって，分離されるセクター・アンテナは，ほとんどのトラフィックが実行されるセクターである。
【００７０】
トラフィックが増加し続けると，５つのセクター・アンテナ側によって処理されるトラフィックは再びキャパシティー限界を超えることになり，更に，新しいセクター・アンテナが分離されることになる。そして，４つの接続されたセル・アンテナと，２つの１セクター・アンテナがトラフィックを処理することになる。
【００７１】
本発明により提案されたアルゴリズムは，各セクターにより閾値以下でトラフィックが処理されているかをチェックし，必要とするリソース以上に使用されているかを判定する。その場合，その分離されたセクター・アンテナの使用をやめ，他の分離されたセクター・アンテナと結合し，あるいは，当該トラフィックを処理することができるセクター・アンテナと組み合わせを行うと同時に必要な基地局装置との再構成を制御する。
【００７２】
次に反対のプロセス即ち，トラフィックが減少している場合の処理について以下に説明する。
【００７３】
トラフィックがシステムデザイン限界に近く，非常に高い場合，従って，各セクター・アンテナは異なる基地局装置に直接接続されている。ある時間の経過後にトラフィックが減少すると想定する。ある一つのセクターにおけるトータルなトラフィックが最小と判定される閾値以下である場合，これは当該セクターの基地局装置がＢＳＥプールに戻ったことを意味している。どのセクター・アンテナが併合するかの決定がなされ，スイッチの切り替えが行われる。通常，他のセクターのトラフィックもある程度減少する。従って，ほとんど全てのセクターは閾値に近くなる。隣接のセクター・アンテナと併合しても併合されたセクターの基地局装置に対して過負荷とならない。しかし，過負荷が検知される場合は，セクター・アンテナは元の状態に常に戻すことができる。
【００７４】
図６は，１つのセル・サイトにおける機能ダイヤグラムを示す図であり，スイッチと接続される装置を示している。
[アンテナ/セル・ステーション設備側スイッチ]
アンテナ６０は，６つのセクター・アンテナを有している。アンテナ６０のそれぞれのセクター・アンテナはフィーダー６０ａによりセル・ステーション設備（ＣＳＥ）６２にアンテナ−ＣＳＥ間スイッチ６１を介して接続される。
【００７５】
さらに，セル・ステーション設備（ＣＳＥ）６２は，ケーブル−ＣＳＥ間スイッチ６３を介して，基地局装置１のバンクとセル・サイトとを繋げる光ファイバーあるいは，同軸ケーブルによる伝送媒体６４に接続される。
【００７６】
セル・ステーション設備６２の複数のストリングのうちの１つが，アンテナ６０の６つのセクター・アンテナの各々に対して必要である。これに対して，アンテナ−ＣＳＥ間スイッチ６１は，次のような機能を有するものである。
【００７７】
すなわち，アンテナ−ＣＳＥ間スイッチ６１は，高負荷の場合には，セル・ステーション設備６２の１つのストリングに，１本のセクター・アンテナを接続する。負荷が減少する場合，アンテナ−ＣＳＥ間スイッチ６１はアンテナ６０にセル・ステーション設備６２のより少ないストリングを接続する。
【００７８】
非常に低いトラフィックの場合には６つのアンテナ・セクターにセル・ステーション設備６２の１つのＣＳＥストリングが並列に接続される。
【００７９】
さらに，アンテナ−ＣＳＥ間スイッチ６１は，図６では図示省略されている出力パワーアンプに異なる複数のセクター・アンテナを接続する際，正確なマッチングを維持するためのインピーダンスマッチング回路を有している。
【００８０】
次に, セル・サイトから遠隔地に配置される基地局装置の構成について説明する。
[遠隔に配置される基地局装置]
図６に示したように，本発明では，アンテナ６０及び，セル・ステーション設備６２は実際のセル・サイトに位置するが，総体のセル・サイト・コストの最も高価な部分である，電子送信/受信設備である基地局装置１は，ある距離を持って，セル・サイトとは異なる離れた位置に配置される。その離れた距離は，数１００ｍから数１０Ｋｍである。
【００８１】
ネットワークを形成するために，ネットワークに使用される通常のセルの基地局装置１は，セル・サイトからかなり遠くに位置するコンポーネント・サブシステムを有して構成されるという特徴を持つ。
【００８２】
そして，セル・サイトと基地局装置１のバンクとを繋ぐ構成として次の二つに区別することができる。
【００８３】
それらは，それぞれ図７，図８に示される。主たる相違点は，セル・サイト１０と基地局装置１のバンクを繋ぐ伝送媒体として同軸ケーブル１１を用いるか（図７）光ファイバー伝送路１２を用いるか（図８）である。
【００８４】
図７において，バンクを構成するそれぞれの基地局装置１をセル・サイト１０側のアンテナ６０にパワーアンプ６１を通してリンクするために同軸ケーブル１１を使用する場合には，離間距離は同軸ケーブルの大きな損害により数百ｍのオーダーである。
【００８５】
一方，図８において，バンクを構成するそれぞれの基地局装置１をセル・サイト１０側のアンテナ６０に光電変換回路６２ｂ，プリ・パワーアンプ６２ａを通してリンクするために光ファイバー１２を使用する場合は，セル・サイト１０に対し，基地局装置１のバンクをより遠方に設置することが可能である。
【００８６】
図７，図８において，バンクを構成する基地局装置１の各々は，次のような特徴を有している。
i．基地局装置１とセル・サイト１０のアンテナ６０にリンクするための伝送媒体として同軸ケーブル１１あるいは，光ファイバーケーブル１２が使用できる。
【００８７】
これに対応するように，図7において，同軸ケーブル１１を使用する場合，基地局装置
１は，ベースバンド信号を所定の変調方式で変調した信号を，プリアンプにより増幅して電気信号のまま同軸ケーブル１１により，セル・サイト１０に向けて伝送する。これに対応して，セル・サイト１０には，受信電気信号を増幅する電力増幅器６２ａが備えられる。
【００８８】
図８において，光ファイバーケーブル１２を伝送媒体とする場合，所定の変調方式で変調した信号を，光信号に変換して光ファイバーケーブル１２を通して伝送する。これに対応して，セル・サイト１０には，受信した光信号を電気信号に変換する光・電気変換器６２が備えられる。
ii．バンクの基地局装置１の再構成は，ソフトウエアにより構築可能である。基地局装置１は個々に毎時間に，ネットワークに配置されるセル・サイト１０におけるトラフィック状況などのサービス品質（ＱｏＳ）に依存して変化する。
iii．基地局装置１の再構築は，ネットワークのいずれかの部分において基地局として機能するように，適応させる対象となる。
iv．いくつかのパラメータ，例えば，使用される周波数，隣接リスト，ウィンドウ・サイズ（通信可能な距離），その他について変更可能である。
v．基地局装置１は，ネットワーク中のある戦略位置に集合されて設置されることが望ましい。
vi．集合設置された基地局装置は，例えば，オフィス地区で昼間時間帯に動作する基地局装置として，更に住宅地区で夜間に動作する基地局装置としても動作させることが可能である。
vii．戦略的に集合的に位置した基地局装置のグループを，バンクと称する。
viii．このように，基地局装置のグループは，いくつかのコンポーネントを共有することができる。したがって，補足的利点が得られる。
ix．共有のコンポーネントは限定されないが，電源，制御システム，周辺設備，及びキャビネット等である。
x．基地局装置のバンクは，アーキテクチャーの当然の結果であり当該装置の経費削減の他の源であり得る。
xi．都市におけるバンクサイズおよびバンク量は，ネットワーク・コストを縮小されたコストに結びつける計算手続きによって決定されることになる。
【００８９】
次に本発明が適用されるネットワークシステムの実施例を説明する。
［ネットワークシステムの実施例］
図９は，本発明が適用されるネットワークシステムの実施例を示す図である。
【００９０】
基地局装置側バンク１００には，複数の基地局装置１が集合配列される。さらに，基地局装置切替えスイッチ１０１を有している。
【００９１】
遠隔のセル・サイト２００には，複数のアンテナ３００ａ，３００ｂがセル対応に設置される。図９では，例示として２つのアンテナ３００ａ，３００ｂが示されているが，本発明の適用はこれに限定されるものではない。
【００９２】
複数のアンテナ３００ａ，３００ｂに対応するノードグループ２０１ａ，２０１ｂのそれぞれに，複数のステーション設備（ＣＳＥ）２０１を有している。それぞれのセル・ステーション設備（ＣＳＥ）２０１には，伝送媒体４００に対応したインタフェース回路，パワーアンプ，更にインピーダンス調整回路等を有している。
【００９３】
さらに，ノードグループ２０１ａ，２０１ｂの複数のセル・ステーション設備（ＣＳＥ）２０１と，アンテナ３００ａ，３００ｂの各々のセクター・アンテナを切り替え，接続するアンテナ−ＣＳＥ間スイッチ２０２ａ，２０２ｂを有している。
【００９４】
さらに，基地局装置側バンク１００の基地局装置切り替えスイッチ１０１と，セル・ステーション設備（ＣＳＥ）２０１のグループ２０１ａ，２０１ｂに対応するＣＳＥスイッチ２０３ａ，２０３ｂの間が，伝送媒体としての同軸ケーブルあるいは光ファイバー４００により，数百ｍあるいは数ｋｍの間隔を有して接続される。
【００９５】
基地局装置側バンク１００の複数の基地局装置１には，共通に上位側として無線ネットワーク及びコアネットワーク５００と接続される。
【００９６】
上記基地局装置切替えスイッチ１０１，アンテナ−ＣＳＥ間スイッチ装置２０２ａ，２０２ｂ及び，ＣＳＥスイッチ２０３ａ，２０３ｂは，コントローラ６００により切替え制御される。
【００９７】
なお，このコントローラ６００は，図９において，１つのブロックにより表されているが，実際は，基地局装置側バンク１００と，セル・サイト２００との間は数百ｍ乃至数ｋｍの離間距離を有している。したがって，コントローラ６００をこれらの間でそれぞれ分離された構成とするか，一方側にのみに配置して他方側に対する制御は，一方側に配置されたコントローラから信号線を介して制御するという構成も可能である。
【００９８】
このコントローラ６００により，本発明のアルゴリズムに従って，即ち，対象セルのセクターのＱｏＳ（サービス品質）などのパラメータから，図５に示したような対象のセクタータイプを決定する。
【００９９】
そして，決定されたセクタータイプに対応するように，基地局装置切り替えスイッチ１０１，アンテナ−ＣＳＥ間スイッチ装置２０２ａ，２０２ｂ及び，ＣＳＥスイッチ２０３ａ，２０３ｂが切り替え制御され，適応的なセルの再構成が可能である。
【０１００】
図９Ａ，図９Ｂは，アンテナ−ＣＳＥ間スイッチ装置２０２ａ，２０２ｂの機能の概念動作を示す図である。
【０１０１】
図９Ａにおいて，アンテナ３００ａは，スイッチ２０２ａにより，全てのセクター・アンテナが共通に一のセル・ステーション設備（ＣＳＥ）２０１に接続されて，一つのセルにおいて全方位の放射特性を有している。
【０１０２】
一方，アンテナ３００ｂは，セクター・アンテナ３０１のパラメータが，図９Ｂに示すように，時間の経過とともに，パラメータの測定値Iとして例えば，ＱoＳ値が許容限界値II以下になると，切り替え制御が行われる。すなわち，セクター・アンテナ３０１は，アンテナ３００ｂの他のセクター・アンテナから独立に切り離され，ノードグループ２０１ｂに対応するＣＳＥスイッチ２０３ｂから独立する。
【０１０３】
例えば，セクター・アンテナ３００は，ノードグループ２０１ａに対応するＣＳＥスイッチ２０３ａによりノードグループ２０１ａのセル・ステーション設備（ＣＳＥ）２０１に接続される。これにより，ＱoＳ値が改善されることになる。
【０１０４】
ここで，上記各スイッチの要件，特徴を更にまとめると，次のようである。
［アンテナ-ＣＳＥスイッチ２０２ａ，２０２ｂ］
このスイッチにより，ステーション設備（ＣＳＥ）２０１と，アンテナ３００ａ，３００ｂの有するセクター・アンテナとの接続を切り替えてセクター・アンテナを全方向性アンテナを形成するように接続するか，あるいは全方向性アンテナから，１本以上のセクター・アンテナを分離し，６セクター・アンテナまでを得る。
【０１０５】
このスイッチは，接続されるセクター・アンテナの数が変わっても，そのアンテナ・インピーダンスが変わらないようにするインピーダンス・マッチング回路を有している。
【０１０６】
アンテナ３００ａ，３００ｂとステーション設備（ＣＳＥ）２０１との接続構成は，コントローラ６００により決定される。したがって，アンテナ-ＣＳＥスイッチ２０２ａ，２０２ｂは，インピーダンス・マッチング回路と安全一致することが必要である。
【０１０７】
実施例として６つのセクターの場合，このスイッチ２０２ａ，２０２ｂにより１つの入力を１本以上，実施例として６本までのセクター・アンテナに接続することができなければならない。システムが低いトラフィック負荷にある時，１つの入力が６つの出力に接続される。反対に，システムが高いトラフィック負荷にある時，各入力は各出力に接続される。そして，いずれの組み合わせも可能でなければならない。
［ケーブル-ＣＳＥスイッチ２０３ａ，２０３ｂ］：
このスイッチはセル・サイト２００と基地局装置側バンク１００との間の送信媒体４００を接続するために使用される。
【０１０８】
セル・サイト２００への送信が同軸ケーブルによって，あるいは光ファイバーによって行われる場合，それに依存して，スイッチ２０３ａ，２０３ｂは同軸ケーブルまたは光ファイバーを処理しなければならない。
【０１０９】
このスイッチ２０３ａ，２０３ｂは，低い伝送損失であることが望まれる。さらに，インピーダンスマッチング装置を必要とする。
【０１１０】
いずれかの独立の伝送媒体といずれかの基地局装置１との接続は，コントローラ６００により決定される。したがって，スイッチ２０３ａ，２０３ｂは，フルアクセス可能のスイッチである。さらに，１の入力をいくつかの出力に接続する機能を有しなければならない。発明の実施例として６つのセクターの場合，スイッチ２０３ａ，２０３ｂは，１の入力を１又は，それ以上の入力を柔軟に切替え制御可能とするために，１つ以上(実施例として６まで)の基地局装置１に接続できるような，よりフレキシブルな制御を可能とするものでなければならない。
［ＢＳＥバンクサイトでの光又は同軸スイッチ１０１］
このスイッチ１０１は，基地局装置１の集中化バンク１００をセル・サイト２００にリンクすることが可能である。セル・サイト２００への送信が同軸ケーブルによって，あるいは光ファイバー４００によって行われる場合，それに依存して，スイッチ１０１は同軸ケーブルまたは光ファイバーを処理可能でなければならない。低い伝送損失である。
【０１１１】
このスイッチ１０１は，同軸ケーブルにより伝送する場合，簡単なインピーダンスマッチング装置のみを必要とする。
【０１１２】
そして，いずれかの独立の伝送媒体といずれかの基地局装置１の接続は，コントローラ６００により決定される。したがって，スイッチ１０１はフルアクセス可能のスイッチである。
【０１１３】
ここで，コントローラ６００に対する制御の基準となるＱｏＳ（サービス品質）などのパラメータ情報は，アンテナ３００ａ，３００ｂのセクター・アンテナのそれぞれのトラフィック状態を検知する回路３０１ａ，２３０１ｂによって得られる。
【０１１４】
本発明に従うアーキテクチャーでは，上記のとおり，セル・サイト２００２の構成を変更するために，セクター分離およびセクター結合をできる制御機構が必要である。
【０１１５】
このアルゴリズム経由で，セル・サイト２００のトラフィック能力は，そのエリアにあるセルのステーションに対する最適のサービスを許可するために増加又は，減少する。
【０１１６】
そして，セル・サイト２００の構成は，以下のアルゴリズムにより制御される。
［セル・サイト構成変更アルゴリズム］
より少ない物理資源を使用し，だが最終ユーザにサービスのよい質を提示することが制御システムの目標である。
【０１１７】
一例として，サービスのユーザ品質を理解するパラメータとして「サービスの質(ＱoＳ)」と呼ばれるパラメータを使用する。このパラメータは，提示された呼び出し呼の総数に対してセットアップできない呼(失われた呼び出し呼)の数の間の比率である。
【０１１８】
ＱoＳ＝失われた呼/提示された呼
さらに，他の呼び出し要因は，制御パラメータとして使用し，最適化されたネットワーク運用を得て，全ての加入者によいサービスを提供する。
【０１１９】
これらは，次のとおりである。
・  Ｑh:ＱoＳの閾値，高い値 
・  Ｑl:ＱoＳの閾値，低い値，
・  Ｔo:セル単位のトラフィック
・  Ｔc:１個のセル当たり運ばれたトラフィック
・  Ｌc:失われた呼び出しの数
・  Ｆl:最初の失われた呼
・  Ｐc:セクター(ＣＤＭＡの場合の)放射されたパワー
ここで，２%あるいは０．０２%のＱoＳについて考えると，０．００２より２%のＱoＳは，最悪のＱoＳである。数が小さいほど，良好なＱoＳ値を示す。
【０１２０】
ここで，システムをコントロールするためにパラメータとしてＱoＳをとる，１つのセル・サイト用のコントロール・アルゴリズムについて説明する。
【０１２１】
このコントロール・アルゴリズムは他のセル・サイトと無関係に各セル・サイトで行われる。本発明は，６つのセクター・サイトは，一実施例であって，本発明は，それより多くの又は少ない数のセクターで使用することが可能である。
【０１２２】
セル・サイト２００のアンテナ３００ａ，３００ｂは，独立してコントロール可能な６本のセクター・アンテナによって構成される。それにより，全方向性アンテナシステムを形成するか，あるいは６つのセクター・アンテナシステムを一つずつに独立に分離し，６つのセクター・アンテナとすることができる。
【０１２３】
この際，９つのセクターまでの容易に利用可能である。また，より多くのセクターで，より狭いアンテナ指向パターンを持つアンテナを設計することは可能である。
【０１２４】
上記パラメータＱoＳは，検知回路３０１ａ，３０１ｂによって検知される各セクター・アンテナのトラフィックの状態に基づき，求められる。そして，以下に図１０，図１１及び図１２に示すフローに従って説明するアルゴリズムに従ってスイッチ制御が行われる。
【０１２５】
図１０において，トリガによるアルゴリズムがスタートする（ステップＳ１）。このトリガとして，所定周期のクロック信号が使用可能である。
【０１２６】
コントローラ６００は，セル・サイト２００の１個のセルに注目し（ステップＳ２），ＱoＳ（サービス品質）値を高い閾値Ｑhと比較する。ＱoＳが高い閾値Ｑh以上である場合，修正する処置を行うために処理Ａに移行する（ステップＳ３，Ｎｏ）。
【０１２７】
また，ＱoＳが，高い閾値Ｑhより小さい場合（ステップＳ３，Ｙｅｓ）は，次のチェックが行われる。すなわち，コントローラ６００は，上記セルにおいて，ＱoＳが低い閾値Ｑｌより大きいか否かをチェックする（ステップＳ４）。その閾値より小さいときは，修正処理を行うために処理Ｂに移行する（ステップＳ３，Ｎｏ）。
【０１２８】
もし，当該低い閾値より大きいとき（ステップＳ４，Ｙｅｓ）は，次のセルについて同様の処理及び判定が行われる（ステップＳ５）。
【０１２９】
上記処理がネットワークの最後のセル・サイトに達するまで行われ，次のトリガを待って処理を終える（ステップＳ６，Ｙｅｓ）。
【０１３０】
次に，図１１に示す処理Ａについて説明する。
【０１３１】
この処理Ａは，ＱoＳ（サービス品質）値が高い閾値Ｑh以上である場合に行われる処理である（ステップＳ３，Ｎｏ）。
【０１３２】
図１１において，該当のセクターで，未稼働の別キャリアーがあるか否かを検知する（ステップＳ７）。基地局装置は，複数のキャリアーに送信電力供給（稼働）可能であるが，他の問題（例えば，ライセンスが得られない等）によりキャリアーに送信電力が供給されない可能性もある。
【０１３３】
送信電力が供給されていない，未稼働の別キャリアーがある場合（ステップＳ７，Ｙｅｓ）は，当該キャリアーに対し送信電力が供給され，他のセクターにおいて，処理が継続し（ステップＳ８），次のセル・サイトの処理に継続する（図１０のステップＳ５）。
【０１３４】
すなわち，キャリアーに送信電力が供給された後，システムは自動的に送信電力が供給された当該キャリアーを新規キャリアーに追加して，より良いサービス品質が得られるようにする。これは，セクターの少なくとも一つに稼働可能のキャリアーが存在することを意味し，未稼働のキャリアーの一つをサービス運用に移行し，送信電力を供給する。
【０１３５】
ステップＳ７において，未稼働の別のキャリアーがない場合は（ステップＳ７，Ｎｏ），当該セクターが他のセクターと分離されているか否かを検知する（ステップＳ９）。当該セクターが分離されていて，送信電力が供給されている場合（ステップＳ９，Ｙｅｓ）は，他の救済処理は行われない。
【０１３６】
すなわち，ステップ９の処理は，アンテナ再構成に係わり，当該セクターが他のセクターから分離されているかの判断は，該当セクターが単独で稼働しているか，あるいは，他のセクターに接続されて，共同して稼働しているかをチェックすることを意味している。もし，該当セクターが他のセクターと共同して稼働している場合は，これを分離して，より大きなトラフィック容量に対応することが可能である。
【０１３７】
したがって，該当セクターが単独で稼働している場合（ステップＳ９，Ｙｅｓ）には，より大きなトラフィック容量が得られないので，過負荷アラームがコントローラ６００を備える管理システムに送られ，図１０のステップＳ５に継続する（ステップＳ１０）。
【０１３８】
当該セクターが分離されていない場合，即ち他のセクターに接続されて，共同して稼働している場合（ステップＳ９，Ｎｏ）は，当該セル・サイトにおいて，新しいセクター及びその加入者を受け入れる可能な容量を有する分離されたセクターがあるか否かのチェックが行われる（ステップＳ１１）。
【０１３９】
可能な容量を有する分離されたセクターがあれば（ステップＳ１１，Ｙｅｓ），セクター・アンテナはオリジナルの基地局装置から分離され，セル・サイト２００にあるスイッチ２０２ａ，２０２ｂにより，上記決定され，分離されたセクターに付加される。
【０１４０】
予備容量を持ったセクターがない場合（ステップＳ１１，Ｎｏ），利用可能な基地局装置があるかどうかを確かめる（ステップＳ１３）。一つの基地局装置が利用可能であれば，それがＢＳＥスイッチ，セル・サイト２００に向かう伝送媒体４００及び，セル・サイト・スイッチ２０３ａ，２０３Ｂにより，分離されたセクターに接続される（ステップＳ１４）。
【０１４１】
利用可能な基地局装置がない場合（ステップＳ１３，Ｎｏ），過負荷アラームが送信される（ステップＳ１５）。
【０１４２】
上記ステップＳ８，Ｓ１０，Ｓ１２，Ｓ１４及びＳ１５の処理の後，次のセルに処理が継続する（ステップＳ５，図１０）。
【０１４３】
次に，図１２に示す処理Ｂについて説明する。
【０１４４】
この処理Ａは，ＱoＳが低い閾値Ｑl以下である場合に行われる処理である（ステップＳ４，Ｎｏ）。
【０１４５】
該当セクターで別のキャリアーが稼働しているかをチェックする（ステップＳ１６）。別のキャリアーが稼働している場合（ステップＳ１６，Ｙｅｓ），より低い周波数のキャリアーが上位周波数キャリアーから全てのトラフィックを受理することができるかどうかの判定が行われる（ステップＳ１７）。
【０１４６】
システムにおいて過剰な容量が有るので，キャリアーに送信電力の供給を停止することができる。もし，一以上のキャリアーが駆動される場合，トラフィックは他のキャリアーに移行する（この場合，低い周波数キャリアーが選択される）。そして，上位周波数のキャリアーを送信停止することができる。しかし，単一のキャリアーが駆動される場合は，該当のセクターを他のセクターに併合して容量を減少する方法が残される。したがって，ステップＳ１９以降の処理が必要となる。
【０１４７】
より低い周波数キャリアーが，上位周波数キャリアーから全てのトラフィックを受理可能であれば（ステップＳ１７，Ｙｅｓ），トラフィックをより低い周波数キャリアーに転送して，上位周波数キャリアーの送信電力を切断し，次のセクターに移る（ステップＳ１８）。すなわち，低い周波数キャリアーは，上位周波数キャリアーにおけるトラフィックを引き受け可能であるので，トラフィックは低い周波数キャリアーに移行される。低い周波数キャリアーに移行された後は，より高い周波数キャリアーが停止される。
【０１４８】
該当セクターにおいて，別のキャリアーが稼働していない場合（ステップＳ１６，Ｎｏ），他のセクターと併合可能かをチェックする（ステップＳ１９）。可能でなければ，処理は次のセクターに移行する（ステップＳ１９，Ｎｏ）。
【０１４９】
可能であれば（ステップＳ１９，Ｙｅｓ），セクター・アンテナ接続はセル・サイト・スイッチ２０２ａ，２０２ｂ経由で再構成される。（ステップＳ２０）。そして，１つの基地局装置を開放し，基地局装置バンク１００に戻る（ステップＳ２１）。
【０１５０】
ここで，上記に説明されたアルゴリズムは，セル・サイトの各セクターの配置を独立して可能とする。したがって，柔軟性は非常に高い。特定の瞬間では，６つのセクター・セル・サイトは，単に１つのセクターが独立で，他の５つのセクターが共通接続されることが可能である。あるいは，２又は３つのセクターが連続的あるいは，不連続に接続される。
【０１５１】
図１３は，上記アルゴリズムによって実行されるセル再構成により得られる本発明による改善処理効果を説明する図である。
【０１５２】
図１３は，先に一例として説明したサービス品質（ＱoＳ）等のパラメータの測定値Ｉが時間経過により，変動することを示している。
【０１５３】
パラメータの測定値がその許容限界値II以下に低下する場合，処置が不能であれば，サービス停止という状態に陥る恐れがある。
【０１５４】
これに対し，本発明は，測定されるパラメータに対応して，セクター・アンテナの基地局装置との組あわせを再構成することにより，パラメータ値を改善することができる（図１３，III）。これにより，パラメータ値の最悪状態を考慮して基地局装置等の設備の配置を行っていたシステムに対して，少ない設備で良好な伝送品質を維持することが可能である。
【０１５５】
上記した本発明により得られる経済的効果について，図１４を参照して更に説明する。本発明では，トラフィック変動に適合させるために，最適なセル−セクター構成を実現し，その結果として基地局などの設備量の大幅な削減を実現できる。
【０１５６】
本発明により得られる経済的効果について説明する図１４において，従来方式による構造モデルにおける基地局装置側バンク１００に配置される基地局装置（ＢＳＥ）の数をＮとして考える。
【０１５７】
セル・サイト２００側に複数のサイト＃Ａ〜＃Ｚが存在し，それぞれのセクターの数を＃ａ〜＃ｚとする。したがって，セル・サイト２００側におけるセクターの総数Ｓ（＝＃ａ＋＃ｂ＋．．．．．＃ｚ）は，理想的なモデルにおける基地局装置の数に等しく，従来方式における基地局装置（ＢＳＥ）の数Ｎより遙かに小さくなる。
【０１５８】
また，基地局装置など無線アクセスネットワーク系の設備は，設置場所など様々な条件に依存することになるが，理想的なモデルケースにおいては，本発明の適用により，設置基地局装置数を次の関係式に示すように，１／２に削減することできる。
【０１５９】
１／２Ｂ＜Ｓ＜Ｂ
なお，Ｂは，基地局装置の総数である。
【０１６０】
（付記１）
セル対応に置かれる複数のセクター・アンテナを有するアンテナと，前記アンテナと離間した位置に置かれる複数の基地局装置を有するセルラー・ネットワークシステムにおけるセル再構成方法であって，
前記複数のセクター・アンテナの出力から得られる所定のパラメータの値に基づき，前記複数の基地局装置と，前記複数のセクター・アンテナとの接続を切り替えて，セルの構成を変更する，
ことを特徴とする動的セル再構成方法。
【０１６１】
（付記２）
付記１において，
前記所定のパラメータは，サービス品質（ＱoＳ）の値であることを特徴とする動的セル再構成方法。
【０１６２】
（付記３）
付記１において，  
前記アンテナは，６つのセクター・アンテナを有し，
前記６つのセクター・アンテナが，共通に同じセル・ステーション設備に接続されるとき，全方位のアンテナ放射特性を有する，
ことを特徴とする動的セル再構成方法。
【０１６３】
（付記４）
セル対応に置かれる複数のセクター・アンテナを有するアンテナと，前記アンテナと伝送媒体を介して離間した位置に置かれる複数の基地局装置を有するセルラーネットワークシステムであって，
前記アンテナ側に前記伝送媒体に対応するインタフェースとアンプを有する複数のセル・ステーション設備と，
前記複数のセル・ステーション設備を前記アンテナの複数のセクター・アンテナに切り替え接続する第１のスイッチと，
前記アンテナの複数のセクター・アンテナにおける所定のパラメータを検知して，検知されるパラメータに基づき，前記複数のセル・ステーション設備と前記複数のセクター・アンテナとの接続を再構成するように前記第１のスイッチを制御する制御回路を有する，
ことを特徴とするセルラーネットワークシステム。
【０１６４】
（付記５）
付記４において，
前記伝送媒体は，前記複数の基地局装置と，前記複数のセル・ステーション設備を繋ぐ
複数の同軸ケーブル又は，光ファイバーであって，
前記アンテナ側に更に，前記複数の同軸ケーブル又は，光ファイバーと前記複数のセル・ステーション設備との組み合わせを切り替え接続する第２のスイッチと，
前記基地局装置側に，前記複数の同軸ケーブル又は，光ファイバーと前記複数の基地局装置との組み合わせを切り替え接続する第３のスイッチとを有し，
前記制御回路により，前記検知されるパラメータに基づき，更に前記第２及び第３のスイッチを制御して，前記複数の基地局装置と前記複数のセル・ステーション設備との接続組み合わせを再構成する，
ことを特徴とするセルラーネットワークシステム。
【０１６５】
（付記６）
付記４又は５において，
前記所定のパラメータは，サービス品質（ＱoＳ）の値であることを特徴とするセルラーネットワークシステム。
【０１６６】
（付記７）
付記４又は５において，
前記セル・ステーション設備は，前記複数のセクター・アンテナのいずれと接続するかのより変動するインピーダンスを調整する回路を有することを特徴とするセルラーネットワークシステム。
【０１６７】
（付記８）
付記４又は５において，
前記アンテナは，６つのセクター・アンテナを有し，
前記６つのセクター・アンテナが，共通に同じセル・ステーション設備に接続されるとき，全方位のアンテナ放射特性を有する，
ことを特徴とするセルラーネットワークシステム。
【産業上の利用可能性】
【０１６８】
本発明により，より少ない設備で，通信環境に対応して容易に，セル構成を動的に変更可能である。よって，経済的なセルラーネットワークシステムが提供可能であり，産業上寄与するところ大である。
【図面の簡単な説明】
【０１６９】
【図１】一般に，広く世界中で使用されているセルラーネットワークシステムにおけるセル構成を示す図である。
【図２】時刻によるトラフィック量変化を説明する図である。
【図３】本発明を適用するセルラーネットワークシステムの概略構成を示す図である。
【図４】セクター・アンテナの放射パターンの例を示す図である。
【図５】セル・サイトのセクター・アンテナを切り替えることによって得られるいくつかのアンテナタイプを示す図である。
【図６】１つのセル・サイトにおける機能ダイヤグラムを示す図である。
【図７】セル・サイトと基地局装置１のバンクとを同軸ケーブルで繋ぐ構成例を示す図である。
【図８】セル・サイトと基地局装置１のバンクとを光ファイバーで繋ぐ構成例を示す図である。
【図９】本発明が適用されるネットワークシステムの実施例を示す図である。
【図９Ａ】アンテナ−ＣＳＥ間スイッチ装置２０２ａ，２０２ｂの機能の概念動作を示す図である。
【図９Ｂ】図９Ａに対応するスイッチ切り替えを説明する図である。
【図１０】アルゴリズムに従ってスイッチ制御が行われるフロー（その１）である。
【図１１】アルゴリズムに従ってスイッチ制御が行われるフロー（その２）である。
【図１２】アルゴリズムに従ってスイッチ制御が行われるフロー（その３）である。
【図１３】アルゴリズムによって実行されるセル再構成により得られる本発明による改善処理効果を説明する図である。
【図１４】本発明の適用による経済的効果を説明する図である。
【符号の説明】
【０１７０】
１      基地局装置
１００  基地局装置のバンク
２ａ，２ｂ  アンテナに付属する個別装置
３      スイッチ
１０１  基地局装置切替えスイッチ
２０１  セル・ステーション設備（ＣＳＥ）
２０２ａ，２０２ｂ  アンテナ−ＣＳＥ間スイッチ
２０３ａ，２０３ｂ  ＣＳＥスイッチ
３０１ａ，３０２ｂ  トラフィック状態を検知する回路
４ａ，４ｂ，４００  伝送媒体
１０ａ，１０ｂ  セルグループ
６０，３００ａ，３００ｂ  アンテナ
６０ａ  フィーダー
６１  アンテナ−ＣＳＥ間スイッチ
６２  セル・ステーション設備（ＣＳＥ）
６３  ケーブル−ＣＳＥ間スイッチ
６４  伝送媒体
１０，２００  セル・サイト
１１  同軸ケーブル
１２  光ファイバー
５００  無線ネットワーク及びコアネットワーク
６００  コントローラ
【図１】
0004808013.tif 000002
【図２】
0004808013.tif 000003
【図３】
0004808013.tif 000004
【図４】
0004808013.tif 000005
【図５】
0004808013.tif 000006
【図６】
0004808013.tif 000007
【図７】
0004808013.tif 000008
【図８】
0004808013.tif 000009
【図９】
0004808013.tif 000010
【図９Ａ】
0004808013.tif 000011
【図９Ｂ】
0004808013.tif 000012
【図１０】
0004808013.tif 000013
【図１１】
0004808013.tif 000014
【図１２】
0004808013.tif 000015
【図１３】
0004808013.tif 000016
【図１４】
0004808013.tif 000017